(57)【要約】  【課題】ＡＤＦを備えた画像読取装置において、簡易な構成で、複数の原稿の読み取りをより高速化する。  【解決手段】ＡＤＦを備えた画像読取装置は、２枚目の原稿（次の原稿）の給紙および頭出しを、１枚目の原稿（前の原稿）の排紙に続けて実行する。そして、読み取った画像データを一時的に記憶する画像メモリーのデータ量が所定のニアエンプティ値以下となった場合に、すぐに２枚目の原稿のスキャンを開始する。給紙と頭出しは一体の動作となっていてもよい。【選択図】図４
2010226618.tif 000002
【特許請求の範囲】
【請求項１】
自動給紙装置を備える画像読取装置であって、
原稿を給紙する給紙制御手段と、
前記給紙制御手段による原稿の給紙の終了後、当該原稿を搬送するとともに読み取る読み取り制御手段と、
前記読み取り制御手段により読み取られた原稿の画像データを一時的に記憶する記憶手段と、
前記読み取り制御手段による原稿の読み取りの終了後、当該原稿を排紙する排紙制御手段と、を備え、
前記給紙制御手段は、
前記排紙制御手段による原稿の排紙の終了後、続けて次の原稿の給紙を開始し、
前記読み取り制御手段は、
前記給紙制御手段による原稿の給紙の終了後、前記記憶手段のデータ量が所定値以下であるか否かを判定し、前記データ量が前記所定値以下の場合に、当該原稿の読み取りを開始する、
ことを特徴とする画像読取装置。
【請求項２】
請求項１に記載の画像読取装置であって、
前記給紙には、原稿を前記読み取り制御手段により読み取り可能な所定位置まで搬送を行う頭出しが含まれる、
ことを特徴とする画像読取装置。
【請求項３】
請求項１または２に記載の画像読取装置であって、
読み取り画質に応じた第１のモードおよび第２のモードを設定するモード設定手段を備え、
前記第１のモードが設定されている場合、
前記給紙制御手段は、前記排紙制御手段による原稿の排紙の終了後、前記記憶手段のデータ量が前記所定値以下であるか否かを判定し、前記データ量が前記所定値以下の場合に、次の原稿の給紙を開始し、
前記読み取り制御手段は、前記給紙制御手段による原稿の給紙の終了後、続けて当該原稿の読み取りを開始し、
前記第２のモードが設定されている場合、
前記給紙制御手段は、前記排紙制御手段による原稿の排紙の終了後、続けて次の原稿の給紙を開始し、
前記読み取り制御手段は、前記給紙制御手段による原稿の給紙の終了後、前記記憶手段のデータ量が前記所定値以下であるか否かを判定し、前記データ量が前記所定値以下の場合に、当該原稿の読み取りを開始する、
ことを特徴とする画像読取装置。
【請求項４】
請求項３に記載の画像読取装置であって、
前記第１のモードは、画質を重視したモードであり、
前記第２のモードは、画像読取の速度を重視したモードである、
ことを特徴とする画像読取装置。
【請求項５】
自動給紙装置を備える画像読取装置における画像読取制御方法であって、
前記画像読取装置は、
原稿を給紙する給紙ステップと、
前記給紙ステップにおける原稿の給紙の終了後、当該原稿を搬送するとともに読み取る読み取りステップと、
前記読み取りステップにおいて読み取られた原稿の画像データを一時的に記憶する記憶ステップと、
前記読み取りステップにおける原稿の読み取りの終了後、当該原稿を排紙する排紙ステップと、を実行し、
前記給紙ステップは、
前記排紙ステップにおける原稿の排紙の終了後、続けて次の原稿の給紙を開始し、
前記読み取りステップは、
前記給紙ステップにおける原稿の給紙の終了後、前記記憶ステップにおいて記憶されたデータ量が所定値以下であるか否かを判定し、前記データ量が前記所定値以下の場合に、当該原稿の読み取りを開始する、
ことを特徴とする画像読取制御方法。
【請求項６】
自動給紙装置を備える画像読取装置において実行される画像読取制御プログラムであって、
原稿を給紙する給紙制御手段と、
前記給紙制御手段による原稿の給紙の終了後、当該原稿を搬送するとともに読み取る読み取り制御手段と、
前記読み取り制御手段により読み取られた原稿の画像データを一時的に記憶する記憶手段と、
前記読み取り制御手段による原稿の読み取りの終了後、当該原稿を排紙する排紙制御手段として、前記画像読取装置を機能させ、
前記給紙制御手段は、
前記排紙制御手段による原稿の排紙の終了後、続けて次の原稿の給紙を開始し、
前記読み取り制御手段は、
前記給紙制御手段による原稿の給紙の終了後、前記記憶手段のデータ量が所定値以下であるか否かを判定し、前記データ量が前記所定値以下の場合に、当該原稿の読み取りを開始する、
ことを特徴とする画像読取制御プログラム。
【発明の詳細な説明】
【技術分野】
【０００１】
本発明は、自動給紙装置（ＡＤＦ：Auto Document Feeder）を用いた画像読取技術に関する。
【背景技術】
【０００２】
ＡＤＦを備えた画像読取装置、例えば、イメージスキャナー、コピー機、複合機等がある。かかる画像読取装置は、ＡＤＦにより原稿を搬送させながら、静止させたイメージセンサー等の読み取り部により原稿の画像データを読み取る（例えば、特許文献１）。
【０００３】
また、画像読取装置は、読み取った画像データを、画像メモリーに一時的に記憶する。画像メモリーに記憶された画像データは、例えば、ホストコンピューター、ハードディスク、プリンター等に、送信される。
【先行技術文献】
【特許文献】
【０００４】
【特許文献１】特開２００２−１１８７２４号公報
【発明の概要】
【発明が解決しようとする課題】
【０００５】
ところで、画像読取装置は、複数の原稿を連続して読み取る場合に、画像メモリーがフルにならないように構成されている。具体的には、画像読取装置は、ＡＤＦによる前の原稿の排紙が終了した後、次の原稿の画像データの記憶を開始するための容量が画像メモリーに空いてから、ＡＤＦによる次の原稿の給紙を開始する。
【０００６】
しかしながら、画像メモリーの容量が所定量空いてから次の原稿の給紙が開始されるため、前の原稿の排紙が終了した後、次の原稿の画像データの読み取りがすぐに開始されない。すなわち、次の原稿の読み取りは、給紙動作が終了するのを待った後に開始されることとなり、給紙動作の時間分開始が遅れる。
【０００７】
そこで、本願発明は、ＡＤＦを備えた画像読取装置において、簡易な構成で、複数の原稿の読み取りをより高速化する技術を提供することを目的としている。
【課題を解決するための手段】
【０００８】
上記の課題を解決するための本発明の第１の態様は、自動給紙装置を備える画像読取装置であって、原稿を給紙する給紙制御手段と、前記給紙制御手段による原稿の給紙の終了後、当該原稿を搬送するとともに読み取る読み取り制御手段と、前記読み取り制御手段により読み取られた原稿の画像データを一時的に記憶する記憶手段と、前記読み取り制御手段による原稿の読み取りの終了後、当該原稿を排紙する排紙制御手段と、を備え、前記給紙制御手段は、前記排紙制御手段による原稿の排紙の終了後、続けて次の原稿の給紙を開始し、前記読み取り制御手段は、前記給紙制御手段による原稿の給紙の終了後、前記記憶手段のデータ量が所定値以下であるか否かを判定し、前記データ量が前記所定値以下の場合に、当該原稿の読み取りを開始する、ことを特徴とする。
【０００９】
ここで、上記の画像読取装置であって、前記給紙には、原稿を前記読み取り制御手段により読み取り可能な所定位置まで搬送を行う頭出しが含まれる、ことを特徴としていてもよい。
【００１０】
また、上記の画像読取装置であって、読み取り画質に応じた第１のモードおよび第２のモードを設定するモード設定手段を備え、前記第１のモードが設定されている場合、前記給紙制御手段は、前記排紙制御手段による原稿の排紙の終了後、前記記憶手段のデータ量が前記所定値以下であるか否かを判定し、前記データ量が前記所定値以下の場合に、次の原稿の給紙を開始し、前記読み取り制御手段は、前記給紙制御手段による原稿の給紙の終了後、続けて当該原稿の読み取りを開始し、前記第２のモードが設定されている場合、前記給紙制御手段は、前記排紙制御手段による原稿の排紙の終了後、続けて次の原稿の給紙を開始し、前記読み取り制御手段は、前記給紙制御手段による原稿の給紙の終了後、前記記憶手段のデータ量が前記所定値以下であるか否かを判定し、前記データ量が前記所定値以下の場合に、当該原稿の読み取りを開始する、ことを特徴としていてもよい。
【００１１】
また、上記の画像読取装置であって、前記第１のモードは、画質を重視したモードであり、前記第２のモードは、画像読取の速度を重視したモードである、ことを特徴としていてもよい。
【００１２】
上記の課題を解決するための本発明の第２の態様は、自動給紙装置を備える画像読取装置における画像読取制御方法であって、前記画像読取装置は、原稿を給紙する給紙ステップと、前記給紙ステップにおける原稿の給紙の終了後、当該原稿を搬送するとともに読み取る読み取りステップと、前記読み取りステップにおいて読み取られた原稿の画像データを一時的に記憶する記憶ステップと、前記読み取りステップにおける原稿の読み取りの終了後、当該原稿を排紙する排紙ステップと、を実行し、前記給紙ステップは、前記排紙ステップにおける原稿の排紙の終了後、続けて次の原稿の給紙を開始し、前記読み取りステップは、前記給紙ステップにおける原稿の給紙の終了後、前記記憶ステップにおいて記憶されたデータ量が所定値以下であるか否かを判定し、前記データ量が前記所定値以下の場合に、当該原稿の読み取りを開始する、ことを特徴とする。
【００１３】
上記の課題を解決するための本発明の第３の態様は、自動給紙装置を備える画像読取装置において実行される画像読取制御プログラムであって、原稿を給紙する給紙制御手段と、前記給紙制御手段による原稿の給紙の終了後、当該原稿を搬送するとともに読み取る読み取り制御手段と、前記読み取り制御手段により読み取られた原稿の画像データを一時的に記憶する記憶手段と、前記読み取り制御手段による原稿の読み取りの終了後、当該原稿を排紙する排紙制御手段として、前記画像読取装置を機能させ、前記給紙制御手段は、前記排紙制御手段による原稿の排紙の終了後、続けて次の原稿の給紙を開始し、前記読み取り制御手段は、前記給紙制御手段による原稿の給紙の終了後、前記記憶手段のデータ量が所定値以下であるか否かを判定し、前記データ量が前記所定値以下の場合に、当該原稿の読み取りを開始する、ことを特徴とする。
【図面の簡単な説明】
【００１４】
【図１】本発明の画像読取装置の一例であるスキャナー１の概略構成を示すブロック図。
【図２】スキャナー１の制御部３５の機能構成の一例を示すブロック図。
【図３】スキャナー１における複数の原稿の読み取り処理を示すフロー図。
【図４】給紙、頭出し、スキャン、排紙の各期間の関係を説明する図。
【発明を実施するための形態】
【００１５】
以下に、本発明の一実施形態について説明する。
【００１６】
図１は、本発明の画像読取装置の一例であるスキャナー１の概略構成図を示す。
【００１７】
スキャナー１は、筐体の上面に原稿台を備えたいわゆるフラットベッド型イメージスキャナーである。スキャナー１は、透明板を有する原稿台に固定された原稿に、下から光を当てて、イメージセンサー１１を走査して画像を読み取る。
【００１８】
スキャナー１は、被読取媒体である原稿を載せるための上向きの原稿台５０と、この原稿台５０の原稿載置面（盤面）５１およびイメージ読取窓５３を上からカバーする蓋５２とを備える。蓋５２は、原稿台５０にヒンジ機構を介して結合しており、開閉可能である。
【００１９】
また、蓋５２と一体となって、盤面５１の図中左側、すなわち、イメージ読取窓５３の上側に、ＡＤＦ４０が設けられている。ＡＤＦ４０は、読み取り対象の原稿を載せるための給紙トレイ４１と、給紙トレイ４１上の原稿の有無を検知する原稿センサー４２と、給紙トレイ４１上の原稿をＡＤＦ４０内部の搬送路へと搬送する給紙ローラー４３と、搬送されて来る原稿の先端（上端）を検知する先端センサー４４と、原稿の搬送を行う搬送ローラー４５と、原稿を排紙トレイ４７へ排出する排紙ローラー４６と、排紙された原稿を載せるための排紙トレイ４７と、上記の各ローラーを回転させる駆動モーター（不図示）とを有する。
【００２０】
ＡＤＦ４０は、上記の構成により、給紙トレイ４１上に載置された原稿を搬送路に沿って搬送し、イメージ読取窓５３の上面を通過させ、排紙トレイ４７上に排出することができる。なお、本実施形態では、給紙ローラー４３、搬送ローラー４５、および排紙ローラー４６は、共通の１つの駆動モーターにより、同じタイミングで回転を開始し、同じ回転速度で回転し、同じタイミングで回転を停止する。
【００２１】
本実施形態では、ＡＤＦ４０が原稿を搬送する動作として、給紙期間、頭出し期間、読み取り期間、排紙期間がある。
【００２２】
給紙期間とは、原稿が、第１の位置（原稿の先端が給紙ローラー４３を通過し始めた位置）から第２の位置（原稿の先端が先端センサー４４により検知された位置）まで移動する期間である。
【００２３】
頭出し期間とは、原稿が、第２の位置から第３の位置（原稿中の読み取り対象領域の先端がイメージセンサー１１の読み取り位置に到達した位置）まで移動する期間である。
【００２４】
読み取り期間とは、原稿が、第３の位置から第４の位置（原稿中の読み取り対象領域の先端がイメージセンサー１１による指定ライン数分の原稿の読み取りで移動した位置）まで移動する期間である。
【００２５】
排紙期間とは、原稿が、第４の位置から第５の位置（原稿の後端が排紙ローラー４６を通過した位置）まで移動する期間である。
【００２６】
なお、ＡＤＦ４０の動作は上記に限られない。例えば、給紙動作と頭出し動作は一体となっていてもよい。この場合、ＡＤＦ４０が原稿を搬送する動作は、給紙期間、読み取り期間、および排紙期間に分けられる。
【００２７】
さらに、スキャナー１は、原稿台５０の下に、イメージセンサー１１を搭載したキャリッジ１０と、キャリッジ１０の往復移動を制御するキャリッジ駆動機構２０と、スキャナー１の全体を制御するメイン基板３０とを備えている。
【００２８】
キャリッジ１０は、イメージセンサー１１を副走査方向に運搬する。キャリッジ１０は、原稿台５０の盤面５１およびイメージ読取窓５３に対し平行なガイド用のシャフト等にスライド自在に取り付けられており、キャリッジ駆動機構２０のモーター２１により回転するベルトにより牽引され、往復移動をする。ＡＤＦ４０により原稿を搬送させながら読み取りを行う場合、キャリッジ１０は、イメージ読取窓５３の下の所定位置に固定される。
【００２９】
キャリッジ駆動機構２０は、キャリッジ１０に取り付けられたベルトを回転させるためのモーター２１と、モーター２１の回転量に応じてパルスを出力するエンコーダー２２とを備えている。
【００３０】
メイン基板３０は、Ａ／Ｄ変換器３１と、バッファー３２と、メモリー３３と、出力部３４と、制御部３５とを有する。
【００３１】
Ａ／Ｄ変換器３１は、イメージセンサー１１からのアナログ信号をデジタル信号に変換する。
【００３２】
バッファー３２は、先入れ先だしのＦＩＦＯ形式で、Ａ／Ｄ変換器３１から出力されたデータを一時的に記憶し、先に記憶したデータから順にメモリー３３に送る。
【００３３】
メモリー３３は、バッファー３２から出力されたデータを一時的に記憶し、出力部３４に送る。メモリー３３は、読み取った画像データを、例えば、原稿の１ページ分記憶することができる。メモリー３３は、バッファー３２から出力された画像データの記憶と、出力部３４への転送を並列的に行い、データ量が所定のデータ量（ニアエンプティ）となるまで、次の原稿の画像データを受け付けない。なお、ニアエンプティ値とは、次の原稿の画像データの記憶を開始するための基準を示すデータ量の下限値である。
【００３４】
出力部３４は、ホストの処理能力に応じた転送速度で、メモリー３３の画像データをパーソナルコンピューターなどのホストコンピューターに送る。もちろん、画像データの出力先は、ホストコンピューターに限られず、フラッシュメモリー等のポータブルな記憶媒体、ハードディスク等であってもよい。また、スキャナー１がコピー機や複合機の一部である場合には、画像データの出力先は、プリンター、ファクシミリ等であってもよい。
【００３５】
制御部３５は、ＡＤＦ４０と、キャリッジ駆動機構２０と、イメージセンサー１１とを制御する。例えば、制御部３５は、ＡＤＦ４０の駆動モーターを制御し、給紙期間、頭出し期間、読み取り期間、排紙期間における原稿の搬送を制御する。また、キャリッジ駆動機構２０のモーター２１の回転を制御し、キャリッジ１０の移動を制御する。また、エンコーダー２２の出力パルスから、キャリッジ１０の位置や移動速度を求める。
【００３６】
また、制御部３５は、読み取り期間におけるイメージセンサー１１の画像読み取り動作の開始、停止を制御する。また、イメージセンサー１１により読み取られた画像データのバッファー３２およびメモリー３３への入出力を制御する。また、メモリー３３のデータ量を監視し、例えば、所定のニアエンプティ値以下である場合に、ＡＤＦ４０の駆動モーターおよびイメージセンサー１１を制御して、原稿の読み取りを開始させる。
【００３７】
かかる制御部３５は、主制御装置であるＣＰＵと、プログラム等が記録されたＲＯＭと、メインメモリーとしてデータ等を一時的に格納するＲＡＭとを備えたコンピュータで構成することができる。なお、各処理を専用に行うように設計されたＡＳＩＣ（Application Specific Integrated Circuit ）で構成されていてもよい。また、メモリー３３は、制御部３５のメインメモリーとして使用されてもよい。また、メモリー３３は、制御部３５内に設けられていてもよい。
【００３８】
以上がスキャナー１の構成である。ただし、この構成は、本願発明の特徴を説明するにあたって主要構成を説明したのであって、上記の構成に限られない。また、一般的なスキャナーが備える他の構成を排除するものではない。例えば、ユーザーの操作を受け付けるための操作パネルや、フラッシュメモリー等のポータブルな記憶媒体専用のインターフェイス、ＵＳＢインターフェイス等を有していてもよい。
【００３９】
図２は、スキャナー１の制御部３５の機能構成の一例を示すブロック図である。
【００４０】
本図に示すように、制御部３５は、給紙制御部１００と、頭出し制御部１１０と、スキャン制御部１２０と、排紙制御部１３０とを有する。これらの機能部は、ＣＰＵがＲＯＭからＲＡＭにロードした所定のプログラムを実行することにより実現される。この所定のプログラムは、例えば、インターネットなどのネットワークからインストールもしくは更新可能であってもよい。
【００４１】
給紙制御部１００は、ＡＤＦ４０の駆動モーターを制御して、原稿の給紙動作を制御する。給紙制御部１００は、排紙制御部１３０による前の原稿の排紙動作の終了後、続けて次の原稿の給紙動作を実行する。
【００４２】
頭出し制御部１１０は、ＡＤＦ４０の駆動モーターを制御して、原稿の頭出し動作を制御する。頭出し制御部１１０は、給紙制御部１００による原稿の給紙動作の終了後、続けて頭出し動作を実行する。
【００４３】
スキャン制御部１２０は、ＡＤＦ４０の駆動モーターを制御して、原稿を搬送するとともに、イメージセンサー１１を制御して、原稿の画像データの読み取りを制御する。スキャン制御部１２０は、頭出し制御部１１０による原稿の頭出し動作の終了後、メモリー３３のデータ量を監視し、所定のニアエンプティ値以下となった場合に、原稿の読み取り動作を開始する。
【００４４】
排紙制御部１３０は、ＡＤＦ４０の駆動モーターを制御して、原稿の排紙動作を制御する。排紙制御部１３０は、スキャン制御部１２０による原稿の読み取り動作の終了後、続けて排紙動作を実行する。
【００４５】
なお、上記の各構成要素は、スキャナー１の構成を理解容易にするために、主な処理内容に応じて分類したものである。構成要素の分類の仕方や名称によって、本願発明が制限されることはない。スキャナー１の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。
【００４６】
次に、上記のように構成されるスキャナー１の特徴的な動作について説明する。
【００４７】
図３は、スキャナー１における複数の原稿の読み取り処理を示すフロー図である。本フローは、制御部３５が、原稿センサー４２により原稿を検知した状態で、例えば、操作パネル介して、もしくは、ホストコンピューターから、ユーザーからの原稿の読取要求を受け付けた場合に、開始される。
【００４８】
Ｓ１０では、給紙制御部１００は、１枚目の原稿の給紙を実行する。具体的には、給紙制御部１００は、ＡＤＦ４０の駆動モーターを制御して、給紙トレイ４１から１枚目の原稿を給紙する。そして、処理をＳ２０に進める。
【００４９】
Ｓ２０では、頭出し制御部１１０は、１枚目の原稿の頭出しを実行する。具体的には、頭出し制御部１１０は、ＡＤＦ４０の駆動モーターを制御して、Ｓ１０で給紙された１枚目の原稿を頭出しする。そして、処理をＳ３０に進める。
【００５０】
Ｓ３０では、スキャン制御部１２０は、１枚目もしくは２枚目以降の原稿のスキャンを実行する。具体的には、スキャン制御部１２０は、ＡＤＦ４０の駆動モーターを制御して、Ｓ２０もしくはＳ７０で頭出しされた原稿を搬送するとともに、イメージセンサー１１を制御して、原稿の画像データを読み取る。そして、処理をＳ４０に進める。なお、読み取られた画像データは、メモリー３３に一時的に記憶され、出力部３４により読み出される。
【００５１】
Ｓ４０では、排紙制御部１３０は、１枚目もしくは２枚目以降の原稿の排紙を実行する。具体的には、排紙制御部１３０は、ＡＤＦ４０の駆動モーターを制御して、Ｓ３０でスキャンされた原稿を排紙する。そして、処理をＳ５０に進める。
【００５２】
Ｓ５０では、給紙制御部１００は、次の原稿が有るかないかを判定する。具体的には、給紙制御部１００は、原稿センサー４２により原稿の有無を判定する。次の原稿が無い場合（Ｓ５０：ＮＯ）、本フローを終了する。次の原稿が有る場合（Ｓ５０：ＹＥＳ）、処理をＳ６０へ進める。
【００５３】
Ｓ６０では、給紙制御部１００は、２枚目以降の原稿（次の原稿）の給紙を実行する。具体的には、給紙制御部１００は、ＡＤＦ４０の駆動モーターを制御して、給紙トレイ４１から次の原稿を給紙する。そして、処理をＳ７０に進める。
【００５４】
Ｓ７０では、頭出し制御部１１０は、２枚目以降の原稿の頭出しを実行する。具体的には、頭出し制御部１１０は、ＡＤＦ４０の駆動モーターを制御して、Ｓ６０で給紙された原稿を頭出しする。そして、処理をＳ８０に進める。
【００５５】
Ｓ８０では、スキャン制御部１２０は、メモリー３３のデータ量が所定のニアエンプティ値以下となったか否かを監視する。データ量がニアエンプティ値以下でない場合（Ｓ８０：ＮＯ）、監視を継続する。データ量がニアエンプティ値以下である場合（Ｓ８０：ＹＥＳ）、処理をＳ３０に戻す。
【００５６】
以上がスキャナー１における複数の原稿の読み取り処理のフローである。本フローに示すように、本実施形態では、２枚目以降の原稿についてスキャン（Ｓ３０）が開始されるときに、原稿の給紙（Ｓ６０）および頭出し（Ｓ７０）が既に実行済みとなる。
【００５７】
すなわち、本実施形態では、図４に示すように、２枚目の原稿（次の原稿）の給紙および頭出しが、１枚目の原稿（前の原稿）の排紙に続けて実行される。そして、メモリー３３のデータ量が所定のニアエンプティ値以下となった場合には、すぐに２枚目の原稿のスキャンが開始される。
【００５８】
一方、従来のスキャナーでは、図４に示すように、メモリーのデータ量が所定のニアエンプティ値以下となった場合に、２枚目の原稿の給紙が開始される。このように、本実施形態では、図中の時間（Ａ）分、次の原稿のスキャンの開始が早まるため、複数の原稿の読み取りの合計時間がより短くなり、また、複数の原稿の読み取りがより高速化される。
【００５９】
なお、ＡＤＦ４０の給紙動作と頭出し動作が一体の場合は、Ｓ１０およびＳ２０は一体となって実行される。また、Ｓ６０およびＳ７０は一体となって実行される。
【００６０】
以上、本発明の一実施形態について説明した。本実施形態によれば、ＡＤＦを備えた画像読取装置において、簡易な構成で、複数の原稿の読み取りをより高速化することができる。
【００６１】
なお、上記の本発明の実施形態は、本発明の要旨と範囲を例示することを意図し、限定するものではない。多くの代替物、修正および変形例が当業者にとって明らかである。
【００６２】
例えば、スキャナー１、読み取りの設定内容に応じて、上述した本実施形態の読み取り処理（以下、「高速モード」と呼ぶ。）と、上述した従来の読み取り処理（以下、「低速モード」と呼ぶ。）とを切り替えるようにしてもよい。
【００６３】
具体的には、制御部３５に、モード設定部を設ける。モード設定部は、読み取り解像度、原稿種別（例えば、写真、文書など）、カラー／モノクロ等の、読み取り設定を取得する。これらの設定は、例えば、制御部３５で保存されている。また、これらの設定は、例えば、操作パネル介して、もしくは、ホストコンピューターから、ユーザーが変更することが可能である。
【００６４】
また、モード設定部は、予め定めた条件に従って、高速モードと低速モードのいずれかを設定する。例えば、高解像度スキャン、写真のスキャン、もしくはカラースキャンが設定されている場合、低速モードを設定する。また、低解像度スキャン、文書のスキャン、もしくはモノクロスキャンが設定されている場合、高速モードを設定する。
【００６５】
上記のように、読み取り設定内容に応じて読み取り処理を切り替えることにより、例えば、低画質のスキャンについてはより高速にしたり、高画質のスキャンについては画質の劣化（例えば、読み取り期間の開始まで、頭出しが終了した原稿がＡＤＦ内に留まることにより、原稿が曲がって画質に影響を与える可能性がある。）を回避したりすることができる。もちろん、ユーザーが、高速モードおよび低速モードのいずれかを、直接指定できるようにしてもよい。このようにすれば、スキャン画質やスキャン速度に対するユーザーの多種多様な要望に応えることができる。
【００６６】
なお、本発明は、スキャナーだけでなく、スキャナーを備えたコピー機、複合機、ファクシミリ等の装置にも適用することができる。
【符号の説明】
【００６７】
１：スキャナー、１０：キャリッジ、１１：イメージセンサー、２０：キャリッジ駆動機構、２１：モーター、２２：エンコーダー、３０：メイン基板、３１：Ａ／Ｄ変換器、３２：バッファー、３３：メモリー、３４：出力部、３５：制御部、４１：給紙トレイ、４２：原稿センサー、４３：給紙ローラー、４４：先端センサー、４５：搬送ローラー、４６：排紙ローラー、４７：排紙トレイ、５０：原稿台、５１：盤面、５２：蓋、５３：イメージ読取窓、１００：給紙制御部、１１０：頭出し制御部、１２０：スキャン制御部、１３０：排紙制御部
【図１】
2010226618.tif 000003
【図２】
2010226618.tif 000004
【図３】
2010226618.tif 000005
【図４】
2010226618.tif 000006